(57)【要約】      （修正有）【課題】確実にインクを補給することができるインク吸入式の万年筆を提供する。【解決手段】ペン先が固定されるペン先固定部と、ペン先固定部の反ペン先側に固定され、ペン先を介してインクを吸入する、インク吸入口を有する筒状のインクタンク部と、筒状インクタンク部内に配置され、軸方向に沿って移動する弁部及び操作部を有するインク吸入部とを備える。インク吸入部をインクタンク部内において反インク吸入口方向に移動させることによりインクを吸入しうる。弁部は筒状に形成され、その径寸法は、筒状インクタンク部の内径よりも僅かに小さく形成されている。【選択図】図４
0003173988.tif 000002
【実用新案登録請求の範囲】
【請求項１】
ペン先が固定されるペン先固定部と、上記ペン先固定部の反ペン先側に固定され、ペン先を介してインクを吸入する、インク吸入口を有する筒状のインクタンク部と、上記筒状インクタンク部内に配置され、軸方向に沿って移動する弁部及び操作部を有するインク吸入部とを備え、
上記インク吸入部を上記インクタンク部内において反インク吸入口方向に移動させることによりインクを吸入しうるインク吸入式万年筆であって、
上記弁部は筒状に形成され、その径寸法は、上記筒状インクタンク部の内径よりも僅かに小さく形成されていることを特徴とする万年筆。
【請求項２】
上記弁部の後端部にはインク漏れ阻止部が形成されると共に、上記弁部の後端はインクタンク部に係合固定されることを特徴とする請求項１記載の万年筆。
【請求項３】
上記弁部の後端部にはネジ部が設けられると共に上記インクタンク部の内周面部の後端部には上記ネジ部に螺合するネジ部が設けられていることを特徴とする  請求項２記載の万年筆。
【請求項４】
上記インクタンク部内には、使用者が上記万年筆本体軸部を指により把持した場合に、筆記時のバランスを確保することができる錘部が設けられていることを特徴とする請求項３記載の万年筆。
【請求項５】
上記ペン先は表面部側及び裏面部側を支持しうるホルダー部材を介して上記万年筆本体軸部先端に固定されていることを特徴とする請求項４記載の万年筆。
【考案の詳細な説明】
【技術分野】
【０００１】
本考案は、万年筆に係り、特に、インク吸入型の万年筆の改良に関する。
【背景技術】
【０００２】
一般に、万年筆にはインク吸入式のものとカートリッジ式のものがある。従来、インク吸入式の万年筆にあっては、例えば、特許文献１及び特許文献２として記載されたものがある。
【０００３】
このようなインク吸入式の万年筆にあっては、いずれも万年筆本体軸部内に筒状のインクタンクを備え、上記インクタンク内にインクタンクの内周面に密接した径を有する弁部を備えたインク吸い上げ部を有しており、ペン先をインク壷に浸した状態で、インク吸い上げ部を操作することにより、インクタンク内を負圧状態にして、インクを吸い上げるように構成されている。
【０００４】
万年筆の使用を開始して所定時間が経過した場合には、インクタンク内周面にインクが固まって付着することもある。
このような場合には、従来のインク吸入式の万年筆にあっては、上記のように、インク吸上げ部の弁部はインクタンクの内周面に密接していることから、インクの固まりがインクタンク内周面に付着した場合には、弁部の内周面への密着を阻害し、インク吸入に充分な負圧を形成することができない場合がある。
【０００５】
従って、このような場合には、インクタンク内に負圧を有効に形成することができず、インクを吸い上げにくい場合や、インクの吸入が不可能となる場合がある、という不具合を有していた。
【特許文献１】特開２００１−１３８６８５号公報
【特許文献２】実公昭３５−２０４２５号公報
【考案の開示】
【考案が解決しようとする課題】
【０００６】
本考案はこのような従来からの不具合を解決するためのものであって、その課題は、確実にインクを補給することができるインク吸入式の万年筆を提供することにある。
【課題を解決するための手段】
【０００７】
上記課題達成のため、請求項１記載の考案にあっては、ペン先が固定されるペン先固定部と、上記ペン先固定部の反ペン先側に固定され、ペン先を介してインクを吸入する、インク吸入口を有する筒状のインクタンク部と、上記筒状インクタンク部内に配置され、軸方向に沿って移動する弁部及び操作部を有するインク吸入部とを備え、上記インク吸入部を上記インクタンク部内において反インク吸入口方向に移動させることによりインクを吸入しうるインク吸入式万年筆であって、上記弁部は筒状に形成され、その径寸法は、上記筒状インクタンク部の内径よりも僅かに小さく形成されていることを特徴とする。
【０００８】
従って、請求項１記載の考案にあっては、インク吸入部を作動させた場合には、上記弁部の移動によりインクタンク内は略負圧となり、インクを吸入することができる負圧を形成することができるため、インク壷等からインクを吸い上げてインクタンク内へ吸入することができる。
【０００９】
請求項２記載の考案にあっては、上記弁部の後端部にはインク漏れ阻止部が形成されると共に、上記弁部の後端部にはインク漏れ阻止部が形成されると共に、上記弁部の後端はインクタンク部に係合固定されることを特徴とする。
【００１０】
従って、請求項２記載の考案にあっては、吸い上げられたインクがインクタンク内を上昇した場合であっても、上記インク漏れ阻止部により阻止される。
【００１１】
請求項３記載の考案にあっては、上記弁部の後端部にはネジ部が設けられると共に上記インクタンク部の内周面部の後端部には上記ネジ部に螺合するネジ部が設けられていることを特徴とする。
従って、請求項３記載の考案にあっては、上記インク吸入部を構成する弁部はインクタンク部内に固定される。
【００１２】
請求項４記載の考案にあっては、上記インクタンク部内には、使用者が上記万年筆本体軸部を指により把持した場合に、筆記時のバランスを確保することができる錘部が設けられていることを特徴とする。
【００１３】
従って、請求項４記載の考案にあっては、使用時にはバランスを保持した状態で筆記することができる。
【００１４】
請求項５記載の考案にあっては、上記ペン先は表面部側及び裏面部側を支持しうるホルダー部材を介して上記万年筆本体軸部先端に固定されていることを特徴とする。
【考案の効果】
【００１５】
請求項１記載の考案に係る万年筆は、上記弁部は筒状に形成され、その径寸法は、上記筒状インクタンク部の内径よりも僅かに小さく形成され、弁部はインクタンクの内周面には密着しないことから、所定時間に亘る使用によってインクの塊等がインクタンク内周面と弁部との間に介在して弁部とインクタンク内周面との間に空隙が発生し、インク吸入部を作動させた場合であってもインクタンク内に負圧が形成できず、インクを吸い上げることができない、という事態を有効に防止することができる。
【００１６】
一方、インク吸入部を作動させた場合には、弁部の周縁部はインクタンク内周面の僅かに内側に配置されることから、インク吸入げに必要充分な負圧を形成することができるためインクの吸入には何ら不都合はない。
【００１７】
さらに、上記のように、上記弁部はインクタンク内周面の僅かに内側に配置され、インクタンク内周面に密着することはなく、インク吸入に必要な程度の負圧が形成されることから、インク吸上げ部の操作も容易に行うことができる。
【００１８】
請求項２記載の考案にあっては、請求項１記載の効果に加えて、上記弁部の後端部にはインク漏れ阻止部が形成されると共に、上記操作部の後端部は筒状インクタンク部に係合固定され、吸い上げられたインクがインクタンク内を上昇した場合であっても、上記インク漏れ阻止部により阻止されることから、吸入式であっても、吸い上げたインクの漏れだしを有効に防止することができる。
【００１９】
請求項４記載の考案にあっては、請求項１記載の効果に加えて、上記インクタンク部内には、使用者が上記万年筆本体軸部を指により把持した場合に、筆記時のバランスを確保することができる錘部が設けられ、使用時にはバランスを保持した状態で筆記することができることから、使用しやすく、長時間使用した場合であっても疲労せず、継続して快適に筆記することができる万年筆を提供することができる
【図面の簡単な説明】
【００２０】
【図１】本考案に係る万年筆の一実施の形態を示す分解斜視図であって、キャップ部を万年筆軸部本体から取り外した状態を示す図である。
【図２】本考案に係る万年筆の一実施の形態を示し、カバー部を取り外した万年筆本体軸部を示す分解側面図である。
【図３】本考案に係る万年筆の一実施の形態を示し、ペン先の取り付け構造を示す分解斜視図である。
【図４】本考案に係る万年筆の一実施の形態を示し、インクタンク部及びインク吸入部の構造を示す分解斜視図である。
【図５】本考案に係る万年筆の一実施の形態を示し、インクタンク部、インク吸入部及び錘部の構造、及びペン先固定部との取り付け状態を示す分解斜視図である。
【考案を実施するための最良の形態】
【００２１】
以下、添付図面に示す実施の形態に基づき、本考案を詳細に説明する。
図１に示すように、本実施の形態に係る万年筆１０は、万年筆本体軸部１１と、万年筆軸部本体１１のペン先側に被覆されるキャップ部１２とを備えている。
【００２２】
図１、図２及び図４に示すように、上記万年筆本体軸部１１は、ペン先２１が固定されるペン先固定部１３と、上記ペン先固定部１３の反ペン先側に固定され、ペン先２１を介してインク壷等からインクを吸入する、インク吸入口１４を有する細長筒状のインクタンク部１５と、上記インクタンク部１５内に配置され、軸方向に沿って移動する弁部１６及び操作部１７を有するインク吸入部１８とを備え、上記インク吸入部１８を上記インクタンク部１５内において反インク吸入口１４方向にスライドさせることによりインクを吸入しうるように構成されている。
【００２３】
図２に示すように、上記インクタンク部１５は、カバー部１９内に配設されており、カバー部１９はペン先固定部１３の後端部に形成されたネジ部２０に螺合して、ペン先固定部１３に固定されている。
なお、本実施の形態にあっては、上記カバー部１９及びキャップ部１２は、主に、マーブルエボナイト製又は主に木製である。
【００２４】
図３に示すように、本実施の形態にあっては、ペン先２１は、いわゆる「両ベロ式」であり、ペン先本体２２は上面部及び下面部を、夫々、ホルダー部材を構成する上ベロ部２３及び下ベロ部２４により長さ方向において支持され、上ベロ部２３及び下ベロ部２４の後端部が円筒状固定具２５に挿入固定され、円筒状固定具２５を介してペン先固定部１３の先端開口部２６内からペン先固定部１３内に挿入固定される。
【００２５】
図４に示すように、インクタンク部１５内にはインク吸入部１８が配置されている。
インク吸入部１８は、円筒状の弁部１６と、円筒状の弁部の後端部に設けられた操作部１７とを有し、インク吸入時には操作部１７をインクタンク部１５の軸方向に沿って外方へ引くことにより、インク吸入部１８はインクタンク部１５内を軸方向に沿ってスライドして、インクタンク部１５内に形成される負圧によりインク壷からインクを吸入するように構成されている。
【００２６】
本実施の形態にあっては、図４に示すように、上記弁部１６の径寸法Ｌは、上記インクタンク部１５の内径Ｌ１よりも僅かに小さく形成されている。従って、弁部１６は、インクタンク部１５の内周面の直近においてインクタンク部１５内をスライドすることから、弁部１６の反ペン先方向へのスライドにより、インクタンク部１５内に、インクを吸入するのに必要充分な負圧を形成することができる。
【００２７】
上記弁部１６の後端部には、軸方向に沿って設けられた、複数の周方向スリットからなるインク漏れ阻止部２７が形成されている。上記操作部１７の後端には太径部３２が形成され、固定時には、インクタンク部１５の後端２８の外方に配置される。
【００２８】
また、上記インクタンク部１５の後端部には、インクタンク部１５の内周面部にネジ部２９が設けられると共に、上記弁部１６の後端部には上記ネジ部２９に螺合するネジ部３０が設けられており、インク吸入部１８がインクタンク部１５内に挿通配置されている場合には、上記ネジ部３０がネジ部２９に螺合することにより、インク吸入部１８がインクタンク部１５に固定されている。
【００２９】
また、図５に示すように、インクタンク部１５内には、使用者が上記万年筆本体軸部１１を指により把持した場合に、筆記時のバランスを確保することができる錘部３１が設けられている。
【００３０】
上記錘部３１は、軸部３２と、軸部３２の先端部寄りに設けられた太径部３３と、後端部に設けられた錘本体３４とからなり、インクタンク部１５内に軸方向に沿って固定され、錘部３１の外方にインク吸入部１８が配置されてインクタンク部１５内をスライドするように構成されている。
本実施の形態にあっては、上記錘本体３４は略裁頭円錐台形状であって１８金により形成されている。上記錘本体３４は、筆記時に、使用者が万年筆軸部本体１１を把持した場合に、万年筆軸部本体１１が最も把持しやすくなるような部位になるように考慮して配設されている。
【００３１】
以下、本実施の形態に係る万年筆の作用について説明する。
本実施の形態に係る万年筆１０を使用する際に、インクタンク部１５にインクを吸入する場合には、図２に示すように、カバー部１９を回転させてペン先固定部１３のネジ部２０から取り外し、操作部１７を摘み回転させてネジ部２９とネジ部３０との螺合を解除することにより、インク吸入部１８をインクタンク部１５に対してスライド可能な状態にして、ペン先２１をインク壷へ漬ける。
【００３２】
そして、操作部１７によりインク吸入部１８を反ペン先２２方向へ引くことによりインク壷のインクをインクタンク部１５内に吸入することができる。
この場合、上記のように、弁部１６の内径Ｌは上記インクタンク部１５の内径Ｌ１よりも僅かに小さく形成され、弁部１６は、インクタンク部１５の内周面の直近位置においてインクタンク部１５内をスライドすることから、弁部１６の反ペン先２２方向へのスライドにより、インクタンク部１５内に、インクを吸入するのに必要充分な負圧を形成することができる。
【００３３】
インクが吸入された場合には、インク吸入部１８をインクタンク部１５内へ戻し、操作部１７を回転させてネジ部３０をネジ部２９に螺合させてインク吸入部１８をインクタンク部１５に固定させ、カバー部１９をペン先固定部１３のネジ部２０に螺合させて固定する。使用者は、この状態で、指で万年筆本体軸部１１を把持して筆記することができる。
【００３４】
なお、本実施の形態に係る万年筆１０にあっては、弁部１６の後端部には、軸方向に沿って設けられた、複数の周方向スリットからなるインク漏れ阻止部２７が形成されていることから、吸入されたインクが弁部１６の後端部に至った場合でも、上記インク漏れ阻止部２７によりインクの上昇が阻止されることから、インク漏れを有効に防止することができる。
【００３５】
従って、本実施の形態に係る万年筆１０にあっては、上記のように、上記インクタンク部１５の内径Ｌ１よりも僅かに小さく形成されていることから、弁部１６の反ペン先方向へのスライドにより、インクタンク部１５内に、インクを吸入するのに必要充分な負圧を形成することができると共に、弁部１６はインクタンク部１５の内周面に密着していないことから、経年時に、インクタンク内周面においてインクの固まりが形成された場合であっても、従来のような、インクタンク１５の内周面と弁部１６との間における密閉状態をインクの固まりが阻害し、インクの吸入が不可能になる、という事態を有効に阻止することができる。
【００３６】
その結果、本実施の形態に係る万年筆１０にあっては、吸入式であっても、インクの固まりによるインク吸入が困難な事態になることのない万年筆を提供することができる。
【００３７】
また、インクタンク部１５内には、錘部３１が内装されていることから、万年筆１０を指で把持した場合の、軸方向及び径方向における重量バランスが良好であり、長時間筆記した場合の疲労を低減することができる。
なお、キャップ部１２及びカバー部１９その他の構成部品の素材については本実施の形態に限定されない。また、構成部品の形態に関しても限定されない。
【産業上の利用可能性】
【００３８】
本考案は、広く吸入式の万年筆に広く適用することができることから、産業上の利用可能性を有している。
【符号の説明】
【００３９】
１０  万年筆
１１  万年筆本体軸部
１２  キャップ部
１３  ペン先固定部
１４  インク吸入口
１５  インクタンク部
１６  弁部
１７  操作部
１８  インク吸入部
１９  カバー部
２０  ネジ部
２１  ペン先
２２  ペン先本体
２３  上ベロ部（ホルダー部材）
２４  下ベロ部（ホルダー部材）
２５  円筒状固定具
２６  先端開口部
２７  漏れ阻止部
２８  後端
２９  ネジ部
３０  ネジ部
３１  錘部
３２  軸部
３３  太径部  
３４  錘本体  
【図１】
0003173988.tif 000003
【図２】
0003173988.tif 000004
【図３】
0003173988.tif 000005
【図４】
0003173988.tif 000006
【図５】
0003173988.tif 000007